(57)【要約】【課題】  弾性シール部材の脱落を防ぎつつ防水防塵性を向上させる収納体を提供する。【解決手段】  電池収納部５は、電池４を受け入れ可能な電池収納凹部５１と、電池収納凹部５１を開閉可能に閉塞する蓋体５２と、電池収納凹部５１が蓋体５２に閉塞された状態で電池収納凹部５１の内部を液密に封止する封止手段５３と、を備える。封止手段５３は、電池収納凹部５１の開口５１１の全周を囲んで配設された弾性シール部材５４と、スライダ３の表面において電池収納凹部５１の開口５１１を囲んで刻設され弾性シール部材５４が嵌入される溝部５５と、弾性シール部材５４を溝部５５に係着する係着手段５６を備える。係着手段５６は、リング部５４１の外側面から突起形成された係合突起部５４２と、スライダ３の表面において溝部５５に連設して形成された係合孔部５５２と、を備えている。【選択図】 図１
2005122917.tif 000002
【特許請求の範囲】
【請求項１】
内部の収納空間に連通する開口を有するケース本体と、
前記開口を開閉可能に閉塞する蓋体と、
前記蓋体にて前記開口が閉塞された際に、前記開口の周囲をリング状に囲んだ状態で前記ケース本体と前記蓋体とにて挟持されて弾性変形する弾性シール部材と、
前記ケース本体および前記蓋体の少なくとも一方に刻設され前記弾性シール部材が嵌入される溝部と、
前記弾性部材を前記溝部に嵌入された状態に保持する係着手段と、を備え、
前記係着手段は、前記弾性シール部材と、前記溝部が設けられた前記ケース本体および前記蓋体の少なくとも一方との接合面において、一方の前記接合面から突起形成された係合突起部と、他方の前記接合面に設けられ前記係合突起部が圧入されて係着する係合孔部と、を備える
ことを特徴とする収納体。
【請求項２】
請求項１に記載の収納体において、
前記係合突起部は、前記弾性シール部材のリング形状の直径方向で対向した位置に設けられ、
前記係合孔部は、前記溝部が設けられた前記ケース本体および前記蓋体の少なくとも一方において前記係合突起部に対応する位置に設けられている
ことを特徴とする収納体。
【請求項３】
請求項１または請求項２に記載の収納体を有し、
前記収納空間に電池を液密に収納する電池収納部。
【請求項４】
請求項１または請求項２のいずれかに記載の収納体を有し、
前記収納空間に電気動作部を液密に収納する測定器。
【請求項５】
請求項１または請求項２のいずれかに記載の収納体を有し、
前記収納空間に電気動作部を液密に収納する電子機器。
【発明の詳細な説明】
【技術分野】
【０００１】
本発明は、収納体、電池収納部、測定器および電子機器に関する。例えば、電池を液密に収納する収納体、電池収納部、測定器および電子機器に関する。
【背景技術】
【０００２】
測定者が手に持って測定を行うハンドツール型の測定器が知られている。また、水、油および粉塵等が存在する環境下においても使用できるように内部の電気動作部を液密に保護する構成を備えた測定器が知られている（例えば、特許文献１、防水構造に関して特許文献２）。
図３に、防水防塵性能を備えた従来の測定器としてのノギス１を示す。
このノギス１は、長手状の本尺２と、本尺２の長手方向にスライド移動可能に設けられたスライダ３と、を備え、スライダ３には、内部の電気動作部（不図示）に電力を供給する電源としての電池４を収納する電池収納部３３が設けられている。
電池収納部３３は、スライダ３の外表面において電池４を受け入れ可能な凹状に形成された電池収納凹部３４と、電池収納凹部３４を開閉可能に閉塞して電池収納凹部３４を外部から区画する蓋体３５と、電池収納凹部３４が蓋体３５に閉塞された状態で電池収納凹部３４の内部を外部から液密に封止する封止手段３６と、を備えている。
【０００３】
封止手段３６は、図３、図４に示されるように、電池収納凹部３４の全周を囲んで配設された弾性シール部材３７と、スライダ３の表面において電池収納凹部３４を囲んで刻設され弾性シール部材３７が嵌入される溝部３８と、を備えている。
このような構成において、蓋体３５を電池収納凹部３４に被せて蓋体３５で電池収納凹部３４を閉塞するとき、弾性シール部材３７が蓋体３５と溝部３８の底面とにて挟持された状態で弾性変形する。すると、電池収納凹部３４が液密に封止され、水、油、塵埃などが多量に存在する環境下においても電池収納凹部３４の内部への水や塵埃等の侵入が防止される。
【０００４】
【特許文献１】特開２００１−２５５１１０号
【特許文献２】特開平７−１６８６５０号
【発明の開示】
【発明が解決しようとする課題】
【０００５】
しかしながら、図４に示されるように、溝部３８に弾性シール部材３７を圧入して固定しているところ、弾性シール部材３７が溝部３８から容易に外れないように弾性シール部材３７を溝部３８に強く押し込むと、弾性シール部材３７が溝部３８内で著しい変形を受けることになる。すると、蓋体３５で電池収納凹部３４を閉塞した際、弾性シール部材３７によるシール性が不良になり、防水防塵性が十分に保たれないという問題が生じる。
その一方、弾性シール部材３７に変形を与えない程度に弾性シール部材３７を溝部３８に軽く押し込むだけでは、蓋体３５を開いたときに弾性シール部材３７が脱落しやすいという問題が生じる。
このように、弾性シール部材３７をしっかりと固定しつつ防水防塵性を向上させることは困難を有していた。
そして、このような問題は、防水防塵性を備えたハンドツール型測定器に限られず、防水防塵性を保って電池などの電気動作部を収納しなければならない電子機器に共通する問題である。
【０００６】
本発明の目的は、弾性シール部材の脱落を防ぎつつ防水防塵性を向上させる収納体、電池収納部、測定器および電子機器を提供することにある。
【課題を解決するための手段】
【０００７】
請求項１に記載の収納体は、内部の収納空間に連通する開口を有するケース本体と、前記開口を開閉可能に閉塞する蓋体と、前記蓋体にて前記開口が閉塞された際に、前記開口の周囲をリング状に囲んだ状態で前記ケース本体と前記蓋体とにて挟持されて弾性変形する弾性シール部材と、前記ケース本体および前記蓋体の少なくとも一方に刻設され前記弾性シール部材が嵌入される溝部と、前記弾性部材を前記溝部に嵌入された状態に保持する係着手段と、を備え、前記係着手段は、前記弾性シール部材と、前記溝部が設けられた前記ケース本体および前記蓋体の少なくとも一方との接合面において、一方の前記接合面から突起形成された係合突起部と、他方の前記接合面に設けられ前記係合突起部が圧入されて係着する係合孔部と、を備えることを特徴とする。
【０００８】
このような構成において、弾性シール部材を溝部に嵌入して、さらに、係合突起部を係合孔部に圧入して係合突起部を係合孔部に係着させる。すると、係合突起部が係合孔部に係着することにより弾性シール部材が溝部に嵌入された状態でその位置が固定される。
この状態で、収納空間の開口に蓋体を被せて閉塞する。すると、弾性シール部材が蓋体とケース本体とにて挟持されて弾性変形される。弾性シール部材の変形により、溝部の隙間が埋められて、さらに、蓋体とケース本体の表面との隙間が埋められる。このとき、収納空間が外部から液密に区画され、収納空間の内部への水、油、塵埃などの侵入が防止される。
また、蓋体を外したときでも、係合突起部が係合孔部に圧入されて係着されているので、弾性シール部材が溝部から外れることがない。
【０００９】
弾性シール部材は、係着手段によってその位置が固定されることから、弾性シール部材を溝部に圧入するなどにより位置固定を行う必要はない。そして、弾性シール部材は溝部に嵌合されている状態では、特に無理な変形を受けていないので、蓋体で挟持されたときに変形して隙間を埋めるように十分に広がることができる。よって、弾性シール部材によって収納空間の液密性を確実に保つことができる。
係合突起部が係合孔部に圧入されて係着されているので、弾性シール部材が溝部に嵌合された状態でその位置が保たれ、簡単に脱落することがない。そして、係合突起部が係合孔部に圧入されていても弾性シール部材には変形が及ばないので、弾性シール部材によって収納空間の液密性は良好に保たれる。
【００１０】
請求項２に記載の収納体は、請求項１に記載の収納体において、前記係合突起部は、前記弾性シール部材のリング形状の直径方向で対向した位置に設けられ、前記係合孔部は、前記溝部が設けられた前記ケース本体および前記蓋体の少なくとも一方において前記係合突起部に対応する位置に設けられていることを特徴とする。
【００１１】
このような構成によれば、係着手段としての係合突起部と係合孔部とが直径方向で二つ設けられ、弾性シール部材が直径方向の二箇所で固定されるので、弾性シール部材の固定を確実にすることができる。
【００１２】
請求項３に記載の電池収納部は、請求項１または請求項２に記載の収納体を有し、前記収納空間に電池を液密に収納する。
請求項４に記載の測定器は、請求項１または請求項２のいずれかに記載の収納体を有し、前記収納空間に電気動作部を液密に収納する。
請求項５に記載の電子機器は、請求項１または請求項２のいずれかに記載の収納体を有し、前記収納空間に電気動作部を液密に収納する。
【００１３】
このような構成によれば、請求項１に記載の発明と同様の作用効果を奏することができる。特に、電池や電気動作部を液密に保護することができれば、動作不良を防止して動作を安定させることができる。
【発明を実施するための最良の形態】
【００１４】
以下、本発明の実施の形態を図示するとともに図中の各要素に付した符号を参照して説明する。
図１および図２に、本発明の測定器（電子機器）の一実施形態としてのノギス１を示す。
ノギス１は、長手の基端に測定ジョー２１を有する本尺２と、本尺２の測定ジョー２１に対をなす測定ジョー３１を有し本尺２の長手方向にスライド移動可能に設けられたスライダ３と、本尺２に対するスライダ３の変位量を検出する図示しない変位検出手段と、を備えている。
【００１５】
スライダ３は、変位検出手段で検出されたスライダ３の変位量をデジタル表示するデジタル表示部３２と、スライダ３に配設された図示しない電気動作部に電力を供給する電源としての電池４を収納する電池収納部（収納体）５と、を備えている。電池４は、ボタン型形状のボタン電池であり、電池収納部５はこのボタン電池４を一つ収納する。
【００１６】
電池収納部５は、スライダ３の表面において、電池４を受け入れ可能な凹状に形成された電池収納凹部５１と、電池収納凹部５１を開閉可能に閉塞する蓋体５２と、電池収納凹部５１が蓋体５２に閉塞された状態で電池収納凹部５１の内部を外部から液密に封止する封止手段５３と、を備えている。
電池収納凹部５１は、ボタン電池４の直径や厚みなどの形状に合わせて凹設された略円形の穴部である。ここに、電池収納凹部５１は電池を収納する収納空間となり、スライダ３は電池収納凹部５１の開口５１１を有し内部に電池４を収納するケース本体となる。
蓋体５２は、電池収納凹部５１の開口５１１を含んだスライダ３表面の一部を覆う面積を有する板体である。なお、特に図示しないが、電池収納凹部５１の開口５１１を閉塞する状態で蓋体５２を固定する固定手段が設けられている。このような固定手段は、一方に設けられた係止孔に他方に設けられた係止爪が係合する構成でもよく、あるいは、蓋体５２をスライダ３にねじ止めする構成でもよい。
【００１７】
封止手段５３は、電池収納凹部５１の開口５１１の全周を囲んで配設された弾性シール部材５４と、スライダ３の表面において電池収納凹部５１の開口５１１を囲んで刻設され弾性シール部材５４が嵌入される溝部５５と、弾性シール部材５４を溝部５５に係着する係着手段５６を備えている。
弾性シール部材５４は、例えばシリコン樹脂などの弾性部材で形成され、電池収納凹部５１の開口５１１の周囲を囲む略円形リング形状に形成されたリング部５４１を有する。
溝部５５は、スライダ３の表面において電池収納凹部５１の開口５１１の周囲を囲んで略円形に刻設されたリング受容部５５１を有する。
【００１８】
係着手段５６は、リング部５４１の外側面から突起形成された係合突起部５４２と、スライダ３の表面において溝部５５に連設して形成された係合孔部５５２と、を備えている。
係合突起部５４２は、弾性シール部材５４の直径方向において弾性シール部材５４に一体的に二つ設けられている。係合突起部５４２は、リング部５４１の外周からスライダ３に垂直に差し込む方向へ突起したピン形状である。
係合孔部５５２は、係合突起部５４２に対応してリング受容部５５１の直径方向において二つ設けられ、リング受容部５５１よりも深く形成された孔である。
すなわち、弾性シール部材５４を溝部５５に嵌入したときに弾性シール部材５４とスライダ３の表面とが接するところ、弾性シール部材５４がスライダ３に接する接合面から係合突起部５４２が突起形成され、スライダ３が弾性シール部材５４に接する接合面には係合孔部５５２が設けられている。
【００１９】
ここで、リング受容部５５１の幅は、リング部５４１の幅に略同じか、あるいはリング部５４１の幅よりもほんの僅かに広めに形成されており、蓋体５２とリング受容部５５１とでリング部５４１が挟持されたときにリング部５４１が弾性変形してリング受容部５５１が完全に埋まる程度の幅である。
一方、係合孔部５５２の径は、係合突起部５４２の径に比べて若干小さめであり、係合突起部５４２を係合孔部５５２に押し込んで圧入したときに、係合突起部５４２と係合孔部５５２とが強固に係着する程度の径である。
【００２０】
図示しないが、本尺２に対するスライダ３の変位量を検出する変位検出手段としては、本尺２の長手方向に沿って設けられたメインスケールと、スライダ３に設けられメインスケールに対する変位量を検出する検出ヘッドと、検出ヘッドからの検出信号を処理する信号処理部と、を備えた光電式、磁気式あるいは静電容量式のエンコーダを利用することが例として挙げられる。この場合、検出ヘッドや信号処理部は、電池４から電力を得て動作する。
【００２１】
このような構成を備えるノギス１において、電池収納凹部５１に電池４を載置して、電池収納凹部５１に蓋体５２を被せる。蓋体５２をスライダ３に押し付けながら蓋体５２をスライダ３に固定する。すると、リング部５４１が蓋体５２とリング受容部５５１の底面とに挟持されて弾性変形され、リング受容部５５１の隙間が埋められて、さらに、蓋体５２とスライダ３の表面との隙間が埋められる。このとき、電池収納凹部５１が外部から液密に区画され、電池収納凹部５１の内部への水、油、塵埃などの侵入が防止される。
また、電池４の交換などに際して蓋体５２を開放したとき、係合突起部５４２が係合孔部５５２に圧入されて係着されているので、弾性シール部材５４が溝部５５から外れることがない。
【００２２】
このような構成を備えるノギス１によれば、次の効果を奏することができる。
（１）リング部５４１はリング受容部５５１に嵌合されている状態では、特に無理な変形を受けていないので、蓋体５２で挟持されたときに変形して隙間を埋めるように十分に広がることができる。よって、弾性シール部材５４によって電池収納凹部５１内の液密性を確実に保つことができる。
【００２３】
（２）係合突起部５４２が係合孔部５５２に圧入されて係着されているので、弾性シール部材５４が溝部５５に嵌合された状態でその位置が保たれ、簡単に脱落することがない。そして、係合突起部５４２が係合孔部５５２に圧入されていてもリング部５４１には変形が及ばないので、リング部５４１によって電池収納部５の液密性は良好に保たれる。
【００２４】
（３）係着手段５６としての係合突起部５４２と係合孔部５５２とが直径方向で二つ設けられ、弾性シール部材５４を直径方向の二箇所で固定するので、弾性シール部材５４の固定を確実にすることができる。
【００２５】
なお、本発明は上記実施形態に限定されず、本発明の目的を達成できる範囲での変形、改良等は本発明に含まれる。
例えば、溝部５５はスライダ３の表面に設けられ、弾性シール部材５４はスライダ３に固定されていたが、溝部５５が蓋体５２に設けられて弾性シール部材５４が蓋体５２に固定されていてもよい。さらには、弾性シール部材５４および溝部５５がスライダ３と蓋体５２との両方に設けられていてもよい。
【００２６】
係着手段５６は、リング部５４１の直径方向に二つ設けられているとして説明したが、係合突起部５４２や係合孔部５５２の数や位置は特に限定されない。例えば、リング部５４１の９０度ごとに４つ設けられていてもよい。
また、係着手段５６としては、弾性シール部材５４に係合孔部が設けられ、溝部５５に係合突起部が設けられていてもよい。
【００２７】
電池収納凹部５１の形状や弾性シール部材５４の形状は、電池４の形や数に応じて適宜設計変更されることは当然である。
収納空間としては、電池４を収納する電池収納凹部５１に限られず、液密に保護すべき要素を収納する収納空間であれば本発明を適用できることはもちろんである。
測定器としてはノギス１を例に説明したが、ノギスに限られず水、油および塵埃等が存在する環境下で使用される種々の測定器でもよく、例えば、マイクロメータやマイクロメータヘッド、ダイヤルゲージなどでもよい。また、電気動作部を液密に保護すべき電子機器に適用できることはもちろんである。そして、内部の収納空間を外部から液密に保護する種々の収納体に適用できることはもちろん、内部に収納した液体等を外部に漏らさずに収納する収納体にも適用できる。
【産業上の利用可能性】
【００２８】
本発明は、例えば、電池を液密に保護する収納体、電池収納部、測定器および電子機器に利用できる。
【図面の簡単な説明】
【００２９】
【図１】本発明の測定器に係る一実施形態としてのノギスにおいて、蓋体および弾性シール部材を外した状態の斜視図である。
【図２】前記実施形態において、電池収納凹部が液密に閉じられた状態における断面図である。
【図３】従来のノギスにおいて、蓋体および弾性シール部材を外した状態の斜視図である。
【図４】前記実施形態において、電池収納凹部が液密に閉じられた状態における断面図である。
【符号の説明】
【００３０】
１…ノギス（測定器、電子機器）、２…本尺、２１…測定ジョー、３…スライダ（ケース本体）、３１…測定ジョー、３２…デジタル表示部、３３…電池収納部、３４…電池収納凹部、３５…蓋体、３６…封止手段、３７…弾性シール部材、３８…溝部、４…電池、５…電池収納部（収納体）、５１…電池収納凹部、５１１…開口、５２…蓋体、５３…封止手段、５４…弾性シール部材、５４１…リング部、５４２…係合突起部、５５…溝部、５５１…リング受容部、５５２…係合孔部、５６…係着手段
【図１】
2005122917.tif 000003
【図２】
2005122917.tif 000004
【図３】
2005122917.tif 000005
【図４】
2005122917.tif 000006